(57)【特許請求の範囲】
【請求項１】
衛星を介してコンテンツを送信する送信手段と、
前記衛星からのコンテンツを受信し、これを暗号化し、無線を介して送信する基地局と、
無線を介して前記基地局との間で通信を行い、前記基地局から送信されたコンテンツを受信し、復号化して再生する再生手段と、から構成され、
前記送信手段は、
各々の前記再生手段のＩＤを記憶する手段と、
外部からの指示に応答して、前記ＩＤを、前記コンテンツとは異なるルートで前記基地局に送信する手段と、を備え、
前記基地局は、
前記送信手段から衛星を介して送信されたコンテンツを受信する手段と、
受信したコンテンツを蓄積する手段と、
無線で構成された自己のＬＡＮの通信エリア内に入ってきた再生手段を検出する手段と、
前記送信手段から前記コンテンツとは異なるルートで送信されたＩＤを受信する手段と、
前記蓄積したコンテンツの中から、検出された再生手段に送信するコンテンツを選択して、選択したコンテンツを、前記送信手段より受信した、当該再生手段のＩＤを用いて暗号化する暗号化手段と、
前記ＩＤを用いて暗号化されたコンテンツを、検出された再生手段に前記ＬＡＮを介して送信する手段と、を備える、
ことを特徴とする、コンテンツ配信システム。
【請求項２】
前記送信手段は、前記コンテンツを暗号化された状態で送信するものであって、当該暗号化されたコンテンツを復号するための復号鍵を、前記ＩＤと共に前記基地局に送信する手段を更に備え、
前記基地局は、前記復号鍵を前記ＩＤと共に受信する手段を備え、
前記暗号化手段は、再生手段に送信するものとして選択したコンテンツを、受信した復号鍵を用いて復号した後、前記送信手段より受信した、当該再生手段のＩＤを用いて暗号化する、
ことを特徴とする請求項１に記載のコンテンツ配信システム。
【請求項３】
衛星を介してコンテンツを送信する送信手段と、
前記衛星からのコンテンツを受信し、これを暗号化し、無線を介して送信する基地局と、
無線を介して前記基地局との間で通信を行い、前記基地局から送信されたコンテンツを受信し、復号化して再生する再生手段と、から構成され、
前記送信手段は、前記再生手段のＩＤを、前記コンテンツとは異なるルートで前記基地局に送信する手段を備え、
前記基地局は、
送信先の再生手段を指定する指定手段と、
前記送信手段から前記コンテンツ及びＩＤを受信する手段と、
受信したコンテンツを、指定手段が指定した再生手段のＩＤを用いて暗号化する暗号化手段と、
指定手段が指定した再生手段に、前記ＩＤを用いて暗号化されたコンテンツを送信する手段と、を備える
ことを特徴とするコンテンツ配信システム。
【請求項４】
前記送信手段は、前記コンテンツを暗号化された状態で送信するものであって、当該暗号化されたコンテンツを復号するための復号鍵を、前記ＩＤと共に前記基地局に送信する手段を更に備え、
前記基地局は、前記復号鍵を受信する手段を備え、
前記暗号化手段は、受信したコンテンツを、受信した復号鍵を用いて復号した後、指定手段が指定した再生手段のＩＤを用いて暗号化する、
ことを特徴とする請求項３に記載のコンテンツ配信システム。
【請求項５】
衛星を介してコンテンツを送信する送信手段と、
前記衛星からのコンテンツを受信し、これを暗号化し、無線を介して送信する基地局と、
無線を介して前記基地局との間で通信を行い、前記基地局から送信されたコンテンツを受信し、復号化して再生する再生手段と、から構成され、
前記送信手段は、前記コンテンツを暗号化された状態で送信するものであって、当該暗号化されたコンテンツを復号するための復号鍵を、前記コンテンツとは異なるルートで前記基地局に送信する手段を更に備え、
前記基地局は、前記復号鍵を前記コンテンツとは異なるルートで受信する手段と、当該コンテンツを再度暗号化するための暗号鍵を前記再生手段より受信する手段とを備え、前記衛星から受信したコンテンツを、受信した復号鍵を用いて復号し、受信した暗号鍵を用いて再度暗号化してから、前記再生手段に送信する、
ことを特徴とするコンテンツ配信システム。
【請求項６】
前記基地局は、前記送信手段に接続されており、前記送信手段に対して、所望のコンテンツの送信を要求する手段を備え、
前記送信手段は、前記基地局からの要求に従って、前記衛星を介して、要求されたコンテンツを送信する、ことを特徴とする請求項１乃至５のいずれか１項に記載のコンテンツ配信システム。
【請求項７】
各前記再生手段の課金情報を記録する課金手段をさらに備え、
前記基地局は、前記課金手段に問い合わせ、前記課金手段により課金処理が終了していると通知された場合に、前記再生手段に対してコンテンツを送信し、
前記課金手段は、前記基地局からの問い合わせに対して、課金処理が終了しているか否かを示す通知を送信する、
ことを特徴とする請求項１乃至６のいずれか１項に記載のコンテンツ配信システム。
【請求項８】
前記送信手段と基地局とは前記衛星を用いた通信とは異なる地上系ネットワークで接続されており、
前記基地局は、前記地上系ネットワークを介して前記課金手段に問い合わせ、
前記課金手段は、前記基地局からの問い合わせに対して、課金処理が終了しているか否かを示す通知を前記地上系ネットワークを介して送信する、
ことを特徴とする請求項７に記載のコンテンツ配信システム。
【請求項９】
前記基地局は暗号化された状態でコンテンツを暗号鍵と共に記憶しており、
前記再生手段を認証し、前記再生手段を認証した後、コンテンツの暗号を解凍し、解凍したコンテンツを当該再生手段が再生可能な手法で暗号化して送信し、
前記再生手段は、受信したコンテンツを記憶する、
ことを特徴とする請求項２、４又は５のいずれか１項に記載のコンテンツ配信システム。
【請求項１０】
前記基地局は、データをパケット化して送信し、
前記再生手段は、前記基地局から送信されたデータを受信し、受信データを確認し、一部に欠陥がある場合には、該当データの再送を前記基地局に要求する手段を備える、
ことを特徴とする、請求項１乃至９のいずれか１項に記載のコンテンツ配信システム。
【請求項１１】
前記再生手段は、電波を送信する手段を備え、
前記基地局は、
一定の間隔をおいて配置され、前記再生手段が送信する電波をそれぞれ受信する一対のアンテナと、
前記一対のアンテナによりそれぞれ受信された電波が表す各信号をそれぞれ復調する復調手段と、
それぞれ復調された信号の位相差を求め、求めた位相差に基づいて、前記再生手段の位置が所定の範囲内にあるか否かを判別する手段と、を更に備え、
当該基地局は、前記再生手段が所定の範囲内にあると判別したとき、コンテンツを無線を介して当該再生手段に送信する、
ことを特徴とする請求項１乃至１０のいずれか１項に記載のコンテンツ配信システム。
【請求項１２】
衛星から送信されてくる、暗号化されているコンテンツを受信する手段と、
受信したコンテンツを蓄積する蓄積手段と、
前記コンテンツを復号するための復号鍵、及び、当該コンテンツをその配信先である移動局へと配信するために再度暗号化するための暗号鍵を、コンテンツの送信とは異なる通信ルートで受信する手段と、
前記蓄積手段に蓄積されたコンテンツを前記復号鍵を用いて復号化し、さらに前記暗号鍵を用いて暗号化してから、無線を介して前記移動局に送信する手段と、を備えることを特徴とする受信・再配信システム。
【請求項１３】
前記受信・再配信システムは、コンテンツの送信元に、コンテンツを指定してコンテンツを要求する手段を備え、
要求に応じて、前記コンテンツの送信元よりコンテンツの復号鍵を受信する手段を備える、ことを特徴とする請求項１２に記載の受信・再配信システム。
【請求項１４】
送信局から衛星を介して、暗号化されているコンテンツを受信局に送信し、
前記送信局から、前記コンテンツを復号するための復号鍵、及び、当該コンテンツを前記受信局が再度暗号化して当該コンテンツの配信先である端末へと配信するために前記受信局が用いるべき暗号鍵を、コンテンツの送信とは異なる通信ルートで前記受信局に送信し、
前記受信局でコンテンツ、復号鍵及び暗号鍵を受信し、これを当該復号鍵を用いて復号化し、さらに当該暗号鍵を用いて暗号化してから、無線ネットワークを介して送信し、
前記受信局近傍の前記端末において、無線ネットワークを介して送信されたコンテンツを受信し、記録媒体に記録する、
ことを特徴とする、コンテンツ配信方法。
【請求項１５】
前記端末は、電波を送信し、
前記受信局は、一定の間隔をおいて配置された一対のアンテナによって前記電波をそれぞれ受信し、それぞれ受信された電波が表す各信号をそれぞれ復調し、これらの各信号の位相差を求め、求めた位相差に基づいて、前記端末の位置が所定の範囲内にあるか否かを判別し、所定の範囲内にあると判別したとき、前記コンテンツの送信を行う、
ことを特徴とする、請求項１４に記載のコンテンツ配信方法。
【請求項１６】
前記受信局では、
前記送信局から衛星を介して送信されたコンテンツを受信して蓄積し、
蓄積されているコンテンツを受信し、これを無線ネットワークを介して送信し、
前記受信局近傍の端末が、無線ネットワークを介して送信されたコンテンツを受信する、
ことを特徴とする、請求項１４に記載のコンテンツ配信方法。
【発明の詳細な説明】
【０００１】
【発明の属する技術分野】
この発明は、衛星を利用してコンテンツを所望の基地局に送信し、この基地局から無線介して移動体に設置された装置に送信し、受信再生装置で記録・再生する技術に関する。
【０００２】
【従来の技術】
放送システムの分野においては、広範囲に亘る地域にサービス可能な衛星放送システムが開発され、放送サービスの多様化が図られている。このような衛星放送システムにおいては、在来放送システムに比して、地上に大掛かりな放送設備を配備することなく、映像、音声を含む放送信号を広範囲のサービスエリアに提供することが実現できる。
【０００３】
【発明が解決しようとする課題】
しかし、従来の衛星放送システムは、比較的大がかりな受信システムを備えていなければ、受信できないという問題があった。即ち、衛星放送の電波は微弱であり、比較的大きな受信アンテナ等が必要とされていた。
【０００４】
衛星からの電波を基地局などで受信し、これをＣＡＴＶ網を介して再配信することも行われているが、ＣＡＴＶの受信端末（セットトップボックス）等が必要である。また、モバイル環境では、対応できない。
【０００５】
この発明は、上記実状に鑑みてなされたもので、デジタルコンテンツを小規模な設備で移動体に配信できるようにすることを目的とする。
【０００６】
【課題を解決するための手段】
上記目的を達成するため、本発明の第１の観点に係るコンテンツ配信システムは、
衛星を介してコンテンツを送信する送信手段と、
前記衛星からのコンテンツを受信し、これを暗号化し、無線（電波、光）を介して送信する基地局と、
無線を介して前記基地局との間で通信を行い、前記基地局から送信されたコンテンツを受信し、復号化して再生する再生手段と、から構成され、
前記送信手段は、
各々の前記再生手段のＩＤを記憶する手段と、
外部からの指示に応答して、前記ＩＤを、前記コンテンツとは異なるルートで前記基地局に送信する手段と、を備え、
前記基地局は、
前記送信手段から衛星を介して送信されたコンテンツを受信する手段と、
受信したコンテンツを蓄積する手段と、
無線で構成された自己のＬＡＮの通信エリア内に入ってきた再生手段を検出する手段と、
前記送信手段から前記コンテンツとは異なるルートで送信されたＩＤを受信する手段と、
前記蓄積したコンテンツの中から、検出された再生手段に送信するコンテンツを選択して、選択したコンテンツを、前記送信手段より受信した、当該再生手段のＩＤを用いて暗号化する暗号化手段と、
前記ＩＤを用いて暗号化されたコンテンツを、検出された再生手段に前記ＬＡＮを介して送信する手段と、を備える、
ことを特徴とする。
【０００７】
前記送信手段は、前記コンテンツを暗号化された状態で送信するものであって、当該暗号化されたコンテンツを復号するための復号鍵を、前記ＩＤと共に前記基地局に送信する手段を更に備えてもよく、
前記基地局は、前記復号鍵を前記ＩＤと共に受信する手段を備えてもよく、
前記暗号化手段は、再生手段に送信するものとして選択したコンテンツを、受信した復号鍵を用いて復号した後、前記送信手段より受信した、当該再生手段のＩＤを用いて暗号化するものであってもよい。
【０００８】
また、本発明の第２の観点に係るコンテンツ配信システムは、
衛星を介してコンテンツを送信する送信手段と、
前記衛星からのコンテンツを受信し、これを暗号化し、無線を介して送信する基地局と、
無線を介して前記基地局との間で通信を行い、前記基地局から送信されたコンテンツを受信し、復号化して再生する再生手段と、から構成され、
前記送信手段は、前記再生手段のＩＤを、前記コンテンツとは異なるルートで前記基地局に送信する手段を備え、
前記基地局は、
送信先の再生手段を指定する指定手段と、
前記送信手段から前記コンテンツ及びＩＤを受信する手段と、
受信したコンテンツを、指定手段が指定した再生手段のＩＤを用いて暗号化する暗号化手段と、
指定手段が指定した再生手段に、前記ＩＤを用いて暗号化されたコンテンツを送信する手段と、を備える
ことを特徴とする。
【０００９】
送信先を指定する手法としては、例えば、送信先のアドレスを直接入力する方法、アドレスをＩＤカードなどに記録しておき、これを読み取る方法、通信により相互認証することにより指定する手法などがある。
前記送信手段は、前記コンテンツを暗号化された状態で送信するものであって、当該暗号化されたコンテンツを復号するための復号鍵を、前記ＩＤと共に前記基地局に送信する手段を更に備えてもよく、
前記基地局は、前記復号鍵を受信する手段を備えてもよく、
前記暗号化手段は、受信したコンテンツを、受信した復号鍵を用いて復号した後、指定手段が指定した再生手段のＩＤを用いて暗号化するものであってもよい。
【００１０】
また、本発明の第３の観点に係るコンテンツ配信システムは、
衛星を介してコンテンツを送信する送信手段と、
前記衛星からのコンテンツを受信し、これを暗号化し、無線を介して送信する基地局と、
無線を介して前記基地局との間で通信を行い、前記基地局から送信されたコンテンツを受信し、復号化して再生する再生手段と、から構成され、
前記送信手段は、前記コンテンツを暗号化された状態で送信するものであって、当該暗号化されたコンテンツを復号するための復号鍵を、前記コンテンツとは異なるルートで前記基地局に送信する手段を更に備え、
前記基地局は、前記復号鍵を前記コンテンツとは異なるルートで受信する手段と、当該コンテンツを再度暗号化するための暗号鍵を前記再生手段より受信する手段とを備え、前記衛星から受信したコンテンツを、受信した復号鍵を用いて復号し、受信した暗号鍵を用いて再度暗号化してから、前記再生手段に送信する、
ことを特徴とする。
【００１１】
例えば、前記基地局は、前記送信手段に接続され、前記送信手段に対して、所望のコンテンツの送信を要求する手段を備える。この場合、前記送信手段は、前記基地局からの要求に従って、前記衛星を介して、要求されたコンテンツを送信する。
【００１２】
各前記再生手段の課金情報を記録する課金手段をさらに備えてもよい。この場合、例えば、前記基地局は、前記課金手段に問い合わせ、当該課金手段により課金処理が終了していると通知された場合に、前記再生手段に対してコンテンツを送信し、前記課金手段は、前記基地局からの問い合わせに対して、課金処理が終了しているか否かを示す通知を送信する。
【００１３】
また、前記送信手段と基地局とは前記衛星を用いた通信とは異なる地上系ネットワークで接続されており、前記基地局は、前記地上系ネットワークを介して前記課金手段に問い合わせ、前記課金手段は、前記基地局からの問い合わせに対して、課金処理が終了しているか否かを示す通知を前記地上系ネットワークを介して送信する、ように構成してもよい。
【００１４】
前記基地局は、例えば、暗号化された状態でコンテンツを暗号鍵と共に記憶する。そして、コンテンツを送信する場合には、前記再生手段を認証し、前記再生手段を認証した後、コンテンツの暗号を解凍し、解凍したコンテンツを当該再生手段が再生可能な手法で暗号化して送信する。前記再生手段は、受信したコンテンツを復号化することなく記憶することが望ましい。この場合には、再生時に復号化しながら、再生することになる。
【００１５】
前記基地局は、データをパケット化して送信し、車載装置は、前記基地局から送信されたデータを受信し、受信データを確認し、一部に欠陥がある場合には、該当データの再送を前記基地局に要求する手段を備えてもよい。
【００１６】
前記再生手段は、電波を送信する手段を備えてもよく、
前記基地局は、
一定の間隔をおいて配置され、前記再生手段が送信する電波をそれぞれ受信する一対のアンテナと、
前記一対のアンテナによりそれぞれ受信された電波が表す各信号をそれぞれ復調する復調手段と、
それぞれ復調された信号の位相差を求め、求めた位相差に基づいて、前記再生手段の位置が所定の範囲内にあるか否かを判別する手段と、を更に備えてもよく、
当該基地局は、前記再生手段が所定の範囲内にあると判別したとき、コンテンツを無線を介して当該再生手段に送信するようにしてもよい。
【００１７】
また、本発明の第４の観点に係る受信・再配信システムは、
衛星から送信されてくる、暗号化されているコンテンツを受信する手段と、
受信したコンテンツを蓄積する蓄積手段と、
前記コンテンツを復号するための復号鍵、及び、当該コンテンツをその配信先である移動局へと配信するために再度暗号化するための暗号鍵を、コンテンツの送信とは異なる通信ルートで受信する手段と、
前記蓄積手段に蓄積されたコンテンツを前記復号鍵を用いて復号化し、さらに前記暗号鍵を用いて暗号化してから、無線を介して前記移動局に送信する手段と、
を備えることを特徴とする。
【００１８】
前記受信・再配信システムは、コンテンツの送信元に、コンテンツを指定してコンテンツを要求する手段を備え、要求に応じて、前記コンテンツの送信元よりコンテンツの復号鍵を受信する手段を備える。
【００２０】
上記目的を達成するため、本発明の第５の観点に係るコンテンツ配信方法は、
送信局から衛星を介して、暗号化されているコンテンツを受信局に送信し、
前記送信局から、前記コンテンツを復号するための復号鍵、及び、当該コンテンツを前記受信局が再度暗号化して当該コンテンツの配信先である端末へと配信するために前記受信局が用いるべき暗号鍵を、コンテンツの送信とは異なる通信ルートで前記受信局に送信し、
前記受信局でコンテンツ、復号鍵及び暗号鍵を受信し、これを当該復号鍵を用いて復号化し、さらに当該暗号鍵を用いて暗号化してから、無線ネットワークを介して送信し、
前記受信局近傍の前記端末において、無線ネットワークを介して送信されたコンテンツを受信し、記録媒体に記録する、
ことを特徴とする。
前記端末は、電波を送信してもよく、
前記受信局は、一定の間隔をおいて配置された一対のアンテナによって前記電波をそれぞれ受信し、それぞれ受信された電波が表す各信号をそれぞれ復調し、これらの各信号の位相差を求め、求めた位相差に基づいて、前記端末の位置が所定の範囲内にあるか否かを判別し、所定の範囲内にあると判別したとき、前記コンテンツの送信を行ってもよい。
【００２１】
前記受信局では、前記送信局から衛星を介して送信されたコンテンツを受信して蓄積し、
蓄積されている受信局でコンテンツを受信し、これを無線ネットワークを介して送信し、
前記受信局近傍の端末が、無線ネットワークを介して送信されたコンテンツを受信する。
【００２２】
【発明の実施の形態】
以下、この発明のデジタルコンテンツ配信システムの実施の形態を、音楽データを配信する場合を例に、図面を参照して詳細に説明する。
【００２３】
このデジタルコンテンツ配信システムは、衛星放送により、地上の複数の基地局に楽曲データを予め送信し、基地局から車載の音響装置に無線ＬＡＮにより楽曲データを送信し、音響装置が楽曲を受信してメモリに記録し、再生するシステムである。
【００２４】
図１はこの発明の第１の実施の形態に係る衛星放送システムの構成を示す。図示するように、この衛星放送システムは、コンテンツプロバイダ１０と、送信局２０と、衛星３０と、複数の基地局４０と、車載装置５０とから構成される。
【００２５】
コンテンツプロバイダ１０は、予め設定したプログラムに従って、デジタルコンテンツ（この実施形態では、デジタル音楽とする）を送信局２０に供給する。
【００２６】
図２に、コンテンツプロバイダ１０の構成を示す。図示するように、コンテンツプロバイダ１０は、多数のデジタルコンテンツを蓄積したコンテンツＤＢ（データベース）１０１と、登録ユーザに関する情報を記録する登録会員ＤＢ１０２と、コンテンツサーバ１０３と、を備える。
【００２７】
コンテンツＤＢ１０１は、楽曲の識別コード（ＩＤ）と、楽曲名、暗号化された音楽データ及び暗号鍵を記憶する。
【００２８】
登録会員ＤＢ１０２は、会員の識別番号（ＩＤ）と、氏名・住所等の情報、会員が所有する機器の装置ＩＤ、及び課金情報を記憶する。
【００２９】
コンテンツサーバ１０３は、コンテンツＤＢ１０１及び登録会員ＤＢ１０２にＬＡＮを介して接続され、さらに、専用線を介して送信局２０に接続され、さらに、インターネット、公衆回線編（有線・無線）などの地上系回線を介して基地局４０に接続されている。コンテンツサーバ１０３は、自己が設定したプログラム（番組表）に従って、音楽データをコンテンツＤＢ１０１から読み出して暗号化された状態の音楽コンテンツを送信局２０に送信し、暗号鍵を地上系回線を介して基地局４０に送信する。また、コンテンツサーバ１０３は、基地局４０からのユーザを指定した問い合わせに応じて、そのユーザが登録会員であるか否かを示すデータを基地局４０に通知する。
【００３０】
送信局２０は、コンテンツサーバ１０３から供給される音楽データを衛星３０に向けて所定周波数で送信する。
衛星３０は、赤道軌道上を周回するＢＳ衛星、ＣＳ衛星などと呼ばれる静止衛星であり、送信局２０から上り伝送路を介して送信された、例えば、Ｋu バンド（ｂａｎｄ）の放送信号等のチャンネル信号を受信して、Ｓバンド（ｂａｎｄ）に周波数変換し、下り伝送路を介して地上のサービスエリア内に送信する。
【００３１】
基地局４０は、衛星３０のサービスエリア内のガソリンスタンド（ＧＳ）に設置されたシステムであり、図３に示すように、受信アンテナ４０１と、受信した信号を復調する復調器４０２と、復調したデータを蓄積するハードディスクなどの大容量メモリ４０３と、ＧＳサーバ４０４と、操作パネル４０５と、無線ＬＡＮ装置４０６とより構成される。
【００３２】
受信アンテナ４０１は、衛星３０から送信された電波を受信する。
復調器４０２は、受信アンテナ４０１で受信した信号を復調する。
大容量メモリ４０３は、ハードディスク装置などから構成され、音楽データ（暗号化されている）及び暗号鍵を対応付けて記憶する。
【００３３】
ＧＳサーバ４０４は、各ガソリンスタンドに設置された基地局４０全体の動作を制御するためのものであり、復調器４０２とインターネットなどの地上系回線に接続される。ＧＳサーバ４０４は、復調器４０２で復号された暗号化された状態の音楽データと暗号鍵とを対応付けて大容量メモリ４０３に格納する。また、ＧＳサーバ４０４は、操作パネル４０５からの指示に応答して、地上系回線を介してコンテンツプロバイダ１０に課金情報を問い合わせ、課金済みの通知を受けた場合には、指示された音楽データを無線ＬＡＮ装置４０６を介して車載装置５０にダウンロードする。
【００３４】
操作パネル４０５は、複数の操作キー等を含み、種々の指示をＧＳサーバ４０４に指示する。
無線ＬＡＮ装置４０６は、ＧＳサーバ４０４に接続されたＬＡＮケーブルとＬＡＮケーブルにハブなどを介して接続された無線ＬＡＮアダプタなどから構成され、車載装置５０との間で、無線によりＬＡＮを構成する。なお、無線の媒体は、任意であり、通常の電波や光（例えば、ＩｒＤａ）、Ｂｌｕｅｔｏｏｔｈ等を利用できる。
【００３５】
車載装置５０は、いわゆるカーオーディオ等から構成され、車両等に載置にされ、無線ＬＡＮを介して、基地局４０からの音楽データを受信し、これを着脱可能な半導体メモリに記憶させる。さらに、この半導体メモリに記憶されている音楽を適宜再生するための装置である。
【００３６】
車載装置５０は、図４に示すように、メモリＩ／Ｏ５０１と、内部メモリ５０２と，セキュリティ回路５０３と、ＣＯＤＥＣ５０４と、Ｄ／Ａ５０５と、Ａ／Ｄ５０６と、第１のマイクロプロセッサ５０７と、表示パネル５０８と、ｋｅｙパネル５０９と、外部通信部５１０と、第２のマイクロプロセッサ５１１と、ＣＤドライバ５１２と、ラジオ回路５１３と，Ｄ／Ａ５１４と、アンプ５１５と、スピーカ５１６とを備える。
【００３７】
メモリＩ／Ｏ５０１には、書換可能な不揮発性メモリ（フラッシュメモリ等）からなる外部メモリ５２０が着脱可能に装着され、この外部メモリ５２０にデータを書き込み、或いは、記憶データを読み出す。また、メモリＩ／Ｏ５０１は、内部メモリ（フラッシュメモリ）５０２にも接続されており、内部メモリ５０２にデータを書き込み、或いは、記憶データを読み出す。
【００３８】
内部メモリ５０２は、この車載装置５０の内部に固定して配置されており、一部にこの装置の固有の機器ＩＤを記憶する。
セキュリティ回路５０３は、外部メモリ５２０及び内部メモリ５０２に書き込むデータを暗号化し、読み出したデータを復号化する。
ＣＯＤＥＣ５０４は、圧縮・伸張回路であり、出力データをデコードし、入力データをコード化する。
【００３９】
Ｄ／Ａ５０５は、出力デジタルデータをアナログ信号に変換する。
Ａ／Ｄ５０６は、入力アナログ信号をデジタルデータに変換する。
第１のマイクロプロセッサ５０７は、この車載装置５０全体の動作を制御するためのものであり、プログラムを記憶したＲＯＭを内蔵したＣＰＵなどから構成される。
【００４０】
表示パネル５０８は、液晶表示パネル、蛍光表示パネル、等から構成され、種々のデータを表示する。
ｋｅｙパネル５０９は、ユーザにより操作され、種々の指示をこの車載装置５０に入力する。
外部通信部５１０は、第１のマイクロプロセッサ５０７の制御下に、基地局との間で無線通信を行う。
【００４１】
第２のマイクロプロセッサ５１１は、音響制御用のプロセッサであり、第１のマイクロプロセッサ５０７の制御下に、ＣＤドライバ５１２とラジオ回路５１３を制御すると共に再生音をスピーカ５１６を介して放音出力する。
Ｄ／Ａ５１４は、第２のマイクロプロセッサ５１１が出力した、再生用デジタルデータをアナログ信号に変換する。
アンプ５１５は、Ｄ／Ａ５１４が出力したアナログ信号を増幅して、スピーカ５１６を介して放音する。
【００４２】
次に、上記構成のコンテンツ配信システムの動作を説明する。
（音楽データの配信）
まず、音楽データを基地局４０の大容量メモリ４０３に格納させるまでの処理を説明する。
コンテンツＤＢ１０１には、暗号化された音楽データがその暗号化鍵と共に格納されている。
コンテンツサーバ１０３は、予め作成した番組表に従って、暗号化されたコンテンツを読み出し、送信局２０に送信する。
【００４３】
送信局２０は、コンテンツサーバ１０３から供給される音楽データを変調し、空きスロットに割り付けて、所定周波数で衛星３０に送信する。
【００４４】
衛星３０は、送信局２０からの伝送信号の周波数を変換し、地上に向けて送信する。
衛星３０のエリア内に位置するガソリンスタンドに設置された基地局４０は、受信アンテナ４０１でこれを受信し、復調器４０２で受信信号を復調する。ＧＳサーバ４０４は、復調された音楽データを大容量メモリ４０３に格納する。
【００４５】
一方、コンテンツサーバ１０３は、送信した音楽データの復号鍵を地上系回線を介して各基地局４０に送信する。各基地局は、受信した復号鍵を音楽データと対応付けて大容量メモリ４０３に登録する。
【００４６】
例えば、通信トラヒックの小さい深夜などに、上述の処理を繰り返して、各基地局４０の大容量メモリ４０３に音楽データを格納しておく。
【００４７】
（音楽データの車載装置へのダウンロード）
１）  ガソリンスタンドに設置された基地局４０は、無線ＬＡＮ装置４０６から、新規な車載装置（通信端末）５０の有無を問い合わせる信号を通信エリア内に周期的に送信し、新規な車載装置５０の有無を常に判別している。
【００４８】
このような状況下で、ある車両が、このガソリンスタンドに立ち寄ったとする。
車両がガソリンスタンドの敷地に近づくと、無線ＬＡＮ装置４０６からの無線信号を車載装置５０の外部通信部５１０が検知し、第１のマイクロプロセッサ５０７に通知する。第１のマイクロプロセッサ５０７は、外部通信部５１０を介して応答を基地局４０に送信する。
これにより、新規の車載装置５０が基地局４０により認識され、以後、車載装置５０と基地局４０との間のデータ通信が可能となる。
【００４９】
２）  ガソリンスタンドに入った車両のユーザが、自己の車載装置５０に音楽データをダウンロードしたい場合、ユーザは自己の携帯端末（例えば、携帯電話）を用いて、コンテンツプロバイダ１０が提供するホームページにアクセスし、ガソリンスタンドのＩＤ、曲目（又は局のコード）を指定する。
【００５０】
コンテンツサーバ１０３は、発呼元の電話番号から、発呼者が登録会員であるか否かを判別し、登録会員であると判断すると、その登録会員の課金データを更新する。例えば、１曲ダウンロードする毎に３００円課金するとすれば、課金データを３００円分加算する。続いて、コンテンツサーバ１０３は、地上系回線を介して、指示されたガソリンスタンドのＧＳサーバ４０４に、指定された曲を復号するための暗号鍵と、そのユーザの機器ＩＤとを送信する。以上の処理が終了すると、コンテンツサーバ１０３は、「ダウンロード可能です。」等のメッセージを携帯端末に送信する。
【００５１】
このメッセージに応答して、ユーザは、ガソリンスタンドの担当者に曲名を指定して、ダウンロードを依頼する。担当者は、操作パネル４０５より、曲を指定してダウンロードを指示する。
すると、ＧＳサーバ４０４は、まず、指定された曲の復号キーを受信しているか否かを判別する。未受信の場合はエラーを報知する。
一方、受信済の場合は、待機状態に入る。
【００５２】
ユーザは、ｋｅｙパネル５０９を操作して、ダウンロード先のメモリ（内部メモリ５０２か外部メモリ５２０か）を指定すると共に「ダウンロード」ボタンを操作する。「ダウンロードボタン」の操作に応答して、第１のマイクロプロセッサ５０７は、セキュリティ回路５０３、メモリＩ／Ｏ５０１を介して内部メモリ５０２から機器ＩＤを読み出し、外部通信部５１０を介して、ダウンロード要求コマンドと共に基地局４０に送信する。
【００５３】
基地局４０のＧＳサーバ４０４は、無線ＬＡＮ装置４０６を介してダウンロード要求コマンドとこの機器ＩＤを受信し、復号キーを用いて、指定された音楽データを復号する。続いて、復号した音楽データを受信した機器ＩＤを用いて、暗号化する。さらに、暗号化した音楽データを無線ＬＡＮ装置４０６を介して車載装置５０にパケット単位で送信する。
【００５４】
車載装置５０の第１のプロセッサ５０７は、外部通信部５１０を介してパケットを順次受信し、ＣＲＣチェック等を行った後、データを再構築する。再構築したデータを指定されたメモリ（内部メモリ５０２又は外部メモリ５２０）に格納する。
【００５５】
３）  ユーザがリクエストした音楽データが、基地局４０の大容量メモリ４０３に格納されていない場合がある。このような場合、ガソリンスタンドの担当者は、コンテンツサーバ１０３に対し、曲名を指定してリクエストを送信する。このリクエストに応答して、コンテンツサーバ１０３は、宛先としてリクエストを発行した基地局４０のアドレスを付して、音楽データを送信する。送信局２０は、この音楽データを放送し、衛星３０の管轄エリア内の全ての基地局４０にデータが届くが、宛先に特定のアドレスが設定されているため、他の基地局４０はこれを受信しない。
【００５６】
一方、コンテンツサーバ１０３は、その音楽データの復号鍵を、地上系回線を介してＧＳサーバ４０４に送信する。ＧＳサーバ４０４は、受信アンテナ４０１で受信し、復調器４０２で復調した音楽データと地上系回線を介して受信した暗号鍵とを対応付けて、大容量メモリ４０３に格納する。
以後の、動作は、前述と同一である。
【００５７】
（ＬＡＮからの離脱）
ダウンロードが終了し、その車両がガソリンスタンドを離れると、車載装置５０は無線ＬＡＮ装置４０６と交信ができなくなる。ＧＳサーバ４０４は、ポーリングに対して、一定期間以上、応答がない車載装置５０については、無線ＬＡＮ装置４０６から離脱したものとして、構成要素テーブルから削除する。
【００５８】
（ダウンロードした音楽データの再生）
ダウンロードした音楽を再生したい場合、ユーザはｋｅｙパネル５０９の操作により内部メモリ５０２又は外部メモリ５２０に記憶された音楽データの曲目の一覧表示を指示する。
この指示に応答し、第１のマイクロプロセッサ５０７は、メモリＩ／Ｏ５０１、セキュリティ回路５０３を介して、内部メモリ５０２又は外部メモリ５２０をアクセスし、ＴＯＣ（Table Of Contents)領域から目次に相当する曲目一覧を読み出し、表示パネル５０８に表示させる。
ユーザは、キー操作により、任意の曲を選択し、再生を指定する。
【００５９】
この指示に応答し、第１のマイクロプロセッサ５０７は、メモリＩ／Ｏ５０１を介して、内部メモリ５０２又は外部メモリ５２０から指定された曲データを読み出し、セキュリティ回路５０３でこれを復号し、さらに、ＣＯＤＥＣ５０４によりデコード（伸張）して出力させる。このデータはＤ／Ａ５０５によりアナログ信号に変換され、イヤホンプラグに出力される。従って、イヤホンを使用して再生された音楽を聴くことができる。また、ＣＯＤＥＣ５０４から出力されたデジタルデータをＤigitalOut端子からそのまま外部に引き出すことも可能である。
【００６０】
さらに、再生されたデジタルデータは、第１のマイクロプロセッサ５０７を介して第２のマイクロプロセッサ５１１に供給され、適宜、Ｄ／Ａ変換され、増幅されて車載スピーカから放音される。
【００６１】
以上説明したように、この実施の形態によれば、車両がガソリンスタンドに立ち寄った際等に無線ＬＡＮを介して基地局から車載装置に音楽データをダウンロードし、それを記録媒体に記録及び再生することができる。従って、車載装置には、衛星からの電波を受信するような大がかりな装置が必要なく、小型で軽量な装置で音楽データの蓄積が可能となる。
【００６２】
また、データを放送形式で衛星３０から複数の基地局４０に一括して送信するため、通信コストを抑えることができる。また、復号鍵を放送とは別ルートの地上系回線を介して各ＧＳサーバ４０４に送信するため、暗号鍵が漏れて、音楽データが不正復号される事態を防止できる。
【００６３】
また、各ＧＳサーバ４０４には、主に深夜などの、トラヒックの少ない時間帯に音楽データをバッチ形式で送信できる。
【００６４】
この発明は上記実施の形態に限定されず、種々の変形及び応用が可能である。
例えば、上記実施の形態では、ダウンロードする際に、逐一課金処理を行ったが、プリペイド式とし、予め所定の料金を支払って、適当な度数を購入しておき、ダウンロードの度にこの度数を０まで、引き落とすようにしてもよい。
【００６５】
この場合、例えば、ガソリンスタンドで、プリペイドカードを購入する。このプリペイドカードには、カードＩＤとそのカードＩＤから特殊な演算式で導き出されるパスワードとが記録されている。コンテンツプロバイダの課金データベースには、予めこのＩＤとパスワードと度数とが登録されている。ユーザは、コンテンツＤＢが提供するホームページ上の入力フォーム上で、このＩＤとパスワードとを入力する。コンテンツプロバイダは、入力されたＩＤとパスワードとを検証し、正しいものであると認定すると、ダウンロードの要求を受け付ける。そして、１曲ダウンロードする毎に、所定度数を引き落とし、度数が０になるまで、ダウンロードを認める。
【００６６】
また、毎月又は毎年一定額を納付することにより、ダウンロードの回数を無制限としてもよい。この場合には、ダウンロードを認めるか否かを判別する際に、料金が納められているか否かを判別するだけでよい。
【００６７】
なお、前記基地局は、ガソリンスタンドに限定されず、様々な場所に設置可能である。例えば、衛星３０のサービスエリア内のコンビニエンスストア、ファミリーレストラン、カーショップ、サービスエリア等の、比較的車両が立ち寄る割合の高いエリアに設置されることが望ましい。
【００６８】
上記実施の形態において、隣接するガソリンスタンドに基地局が配置されている場合、車載装置がいずれの基地局と交信を行うかが問題となる。
この場合、例えば、各車両が自己の敷地に入っているときに、その車両と通信を行うようにすれば合理的である。そこで、例えば、図５に示す構成の位置検出装置を配置し、車両の位置を判別し、判別した位置が自己の敷地内ならば通信を行う。
【００６９】
図５に示す構成は、一定の間隔をおいて配置された一対のアンテナ４５１と４５２と、一対の高周波回路４６１と４６２と、一対のＣＤＭＡ復調器４７１と４７２と、位相比較器４８１と４８２と、時間差計測回路４９１とを備える。
【００７０】
車載装置５０から放出された電波は、一対のアンテナ４５１と４５２により受信され、一対の高周波回路４６１と４６２によってそれぞれ中間周波数に変換される。続いて、ＣＤＭＡ復調器４７１と４７２とにより、位相変調信号を復調する。
【００７１】
位相比較器４８１と４８２とは、それぞれ、基準クロックと復調された信号との位相差を求める。最終的に、時間差計測回路４９１が両系統から出力された信号の時間差を求め、この時間差から、車両（車載装置）の位置を特定することができる。そして、特定した位置が自己の敷地内の車載装置５０とのみ交信することにより、隣接する複数の基地局４０が一台の車両と交信する事態を防止できる。
なお、車載装置５０から、隣接する基地局４０の一方を指定する信号を送信し、指定された基地局４０のみが車載装置５０と交信するようにしてもよい。
【００７２】
移動体通信では、一部の通信情報が欠落することが起こりうる。通常の会話などでは、一部のデータの欠落はさほど問題とならない。しかし、課金に基づく音楽データなどのデジタルコンテンツの配信の場合は、一部の欠落でも、大きな問題となる。そこで、以下、データの欠落が生じた場合の動作について図６を参照して説明する。
【００７３】
まず、車載装置５より、音楽データをダウンロードする旨の要求を発する（Ｓ１）。ＧＳサーバ４０４は、この要求に応答して、送信対象データにチェックサムを付し、１パケット分のデータ、例えば、１ＭＢのデータを生成し、送信する（Ｓ２）。車載装置５０の第１のマイクロプロセッサ５０７は、受信したデータをサムチェックする（Ｓ３）。ここで、エラーを検出した場合、通常ならば、エラービットを訂正する。しかし、この実施の形態では、ＧＳサーバ４０４に対して再送を要求する（Ｓ４）。この要求に応答して、ＧＳサーバ４０４はデータを再送する（Ｓ５）。
【００７４】
一方、サムチェックの結果、データが正常であると判別された場合には、次の１パケット分のデータの送信をＧＳサーバ４０４に要求する（Ｓ６）。
以後、同様の動作を繰り返す。
【００７５】
（第２の実施の形態）
次に、この発明の第２の実施の形態について説明する。
図７は、この発明の第２の実施の形態にかかるコンテンツ配信システムの構成を示す。
【００７６】
図示するように、この配信システムは、コンテンツサーバ１０１０と、送信局１０２０と、衛星１０３０と、複数の受信装置（基地局）１０４０と、課金サーバ１０５０と、車載装置１０６０とから構成される。
【００７７】
コンテンツサーバ１０１０は、既に送信した或いはこれから送信するコンテンツを圧縮し、さらに、暗号化して記憶する。コンテンツサーバ１０１０は、送信対象のコンテンツを深夜・早朝（例えば、午前１時〜４時）からなどの、空いた時間帯に送信局１０２０及び衛星１０３０を通じて、各受信装置１０４０に送信（放送）する。
【００７８】
各受信装置１０４０は、ローカルサーバ１１４０を備えている。ローカルサーバ１１４０は、受信したコンテンツ（圧縮され、暗号化されたもの）を蓄積するハードディスクＨＤＤ等の大容量記録媒体を備える。
【００７９】
ローカルサーバ１１４０には、有線ＬＡＮ１１４１が接続され、有線ＬＡＮ１１４１には、無線ＬＡＮのアクセスポイント１１４２が接続されている。さらに、ローカルサーバ１１４０には、ＩＤカードに記録されているデータを読み出し、或いは、ＩＤカードにデータを書き込むためのリーダ／ライタ１１４３と１１４４とが接続されている。さらに、ローカルサーバ１１４０は、公衆電話回線を介して課金サーバ１０５０に接続されている。
【００８０】
次に、図７に示す構成の配信システムを用いてコンテンツを配信する方法を説明する。
【００８１】
コンテンツサーバ１０１０は、既に送信した或いはこれから送信するコンテンツを圧縮し、さらに、暗号化して記憶する。コンテンツサーバ１０１０は、送信対象のコンテンツを深夜などの、空いた時間帯に衛星１０３０を通じて、各受信装置１０４０に送信（放送）する。
【００８２】
各受信装置１０４０は、衛星１０３０を介して送信されて来るコンテンツ（圧縮され、暗号化されたもの）をローカルサーバ１１４０内のハードディスクＨＤＤに蓄積する。
【００８３】
ローカルサーバ１１４０から音楽データを自己の再生装置にダウンロードする場合、ユーザは予め会員登録を行い、ＩＤカードの発行を受ける。このＩＤカードには、ユニークなＩＤ番号と個人情報及び課金情報とが登録される。同一の情報が課金サーバ１０５０にも登録される。さらに、ＩＤカードには、車載装置１０６０を特定するための情報（アドレス情報）が設定される。
【００８４】
音楽データをダウンロードする場面では、ユーザは、ダウンロードしたい曲を指定すると共に自己のＩＤカードをガソリンスタンドの担当者に渡す。担当者は、ＩＤカードをリーダ・ライタ１１４３に装着すると共に指定された曲をローカルサーバ１１４０に入力する。
【００８５】
ローカルサーバ１１４０は、リーダ・ライタ１１４３を介してＩＤカードのの記録情報を読み出し、読み出した情報のうちのＩＤ情報と残高情報及び曲名（又は曲コード）を電話回線を介して課金サーバ１０５０に送信する。
【００８６】
課金サーバ１０５０は、受信したＩＤ情報が正当か否かを、受信情報と自己に登録されている情報とを突き合わせて確認し、もし正当であれば、指定された曲の暗号を解除するための暗号解除キーをローカルサーバに送信する。
ローカルサーバ１１４０は、受信した暗号解除キーを用いて、音楽データを復号し、さらに、車載装置１０６０のＩＤを用いてこれを暗号化する。そして、ＩＤカードから読み出した情報を元に、ＬＡＮの送信先アドレスを指定し、車載装置１０６０に送信する。車載装置１０６０は、受信した音楽データを第１の実施の形態と同様に、記録媒体に格納し、再生することができる。
【００８７】
ユーザは、任意のガソリンスタンドで、ＩＤカードに定額をチャージ（入金）する。ローカルサーバ１１４０は、ＩＤ情報と入金金額（定額でも任意額でもよい）を課金サーバに通知する。課金サーバ１０５０は、通知された金額分を残金に加算する処理を行う。
この方式によれば、容易に本人確認や音楽データの送信先を特定できる。
【００８８】
なお、ＩＤカードに、課金情報を持たせても、或いは、課金サーバに課金情報を持たせてもよい。例えば、ＩＤカードには、ＩＤ情報だけを記録し、ダウンロードの度に、課金サーバ上の課金情報を更新するようにしてもよい。或いは、ＩＤカード上に課金情報を持たせ、この情報がダウンロード可能な残額が残っている場合にのみ、ダウンロードを許容するようにしてもよい。不正防止の観点からは、課金サーバ１０５０に、何らかの課金情報を登録しておくことが望ましい。
【００８９】
以上、この発明の第１及び第２の実施の形態について説明したが、この発明は上記実施の形態に限定されるものではない。
例えば、上記実施の形態においては、記録媒体として、半導体記憶装置（フラッシュメモリ）を使用する例を示したが、記録媒体は任意である。例えば、ＭＤ、ＭＯ、ＣＤ−Ｒ等でもよい。
【００９０】
第１の実施の形態では、基地局４０の大容量メモリ４０３に蓄積されていない音楽データを、放送方式でコンテンツプロバイダ１０から送信したが、地上系回線により送信してもよい。
【００９１】
上記実施の形態では、ダウンロードできるコンテンツとして音楽データの例を示したが、例えば、カーナビゲーション用の地図データをダウンロードする場合等、様々なデジタルコンテンツデータを配信する場合に適用可能である。
【００９２】
また、上述のシステム構成や回路構成は、例示であって、これらに限定されるものではない。例えば、図４に示した車載装置の構成は、従来のカーオーディオを基本とする構成であるが、例えば、図８に示すように、半導体メモリと磁気ディスクを主な記録媒体とする構成にしてもよい。
また、コンテンツを指定する手法、コンテンツを暗号化する手法や、復号化する手法なども任意に選択可能である。例えば、ダウンロードするコンテンツを指定する手法としては、表示面積やキー数に制限のある車載装置を考慮した手法を説明したが、例えば、比較的大画面の表示パネル５０８と多数のキーを備えるキーパネル５０９を確保できる場合には、車載装置５０と基地局４０との間で無線通信を行って、ダウンロード希望曲を直接指定したり、課金処理を行うことも当然可能である。
【００９３】
【発明の効果】
以上説明したように、本発明によれば、衛星放送を用いて、音楽データを基地局に配信し、さらに、これを無線より、基地局近傍に立ち寄った移動局に送信し、記録媒体に記録することができる。
【図面の簡単な説明】
【図１】本発明の実施の形態に係るコンテンツ配信システムの全体構成を示す図である。
【図２】コンテンツプロバイダの構成を示す図である。
【図３】ガソリンスタンド等に設置された基地局の構成を示す図である。
【図４】車載装置の構成を示す図である。
【図５】車載装置の位置を検出するための構成の一例を示す図である。
【図６】パケット送信手順の一例を示す図である。
【図７】この発明の第２の実施の形態にかかるコンテンツ配信システムの全体構成を示す図である。
【図８】車載装置の構成の他の例を示す図である。
【符号の説明】
１０  コンテンツプロバイダ
２０  送信局
３０  衛星
４０  基地局
５０  車載装置
【図１】
0003865105.tif 000002
【図２】
0003865105.tif 000003
【図３】
0003865105.tif 000004
【図４】
0003865105.tif 000005
【図５】
0003865105.tif 000006
【図６】
0003865105.tif 000007
【図７】
0003865105.tif 000008
【図８】
0003865105.tif 000009